(57)【要約】【課題】ネットサーフィンの手本となるデータを提示すること。【解決手段】タッチスクリーン１４９を入力デバイスとして具備する複数の各ユーザ端末１３０と通信回線１５０を介して通信接続されて、ネットサーフィンの手本となるデータを提示するネットサーフィン手本データ提示装置１１０を備え、ネットサーフィン手本データ提示装置１１０は、タッチスクリーン１４９を利用した操作によって行われたネットサーフィンの手本となるデータを、ユーザ端末１３０へ送信する手本データ送信部を有する。【選択図】図１
2012146233.tif 000002
【特許請求の範囲】
【請求項１】
ネットサーフィンの手本となるデータを提示するネットサーフィン手本データ提示システムであって、
タッチスクリーンを入力デバイスとして具備する複数の各ユーザ端末と通信回線を介して通信接続されて、ネットサーフィンの手本となるデータを提示するネットサーフィン手本データ提示装置
を備え、
前記ネットサーフィン手本データ提示装置は、
タッチスクリーンを利用した操作によって行われたネットサーフィンの手本となるデータを、前記ユーザ端末へ送信する手本データ送信部
を有するネットサーフィン手本データ提示システム。
【請求項２】
前記ネットサーフィン手本データ提示装置は、
ユーザが所望する検索キーワードに関連して行われたネットサーフィンの複数の手本のリストを示すデータを、前記ユーザ端末へ送信するリストデータ送信部と、
前記リストデータ送信部が送信したデータによって示されるリストに含まれているネットサーフィンの複数の手本のうち、いずれの手本がユーザによって選択されたのかを示すデータを、前記ユーザ端末から受信する選択データ受信部
を更に有し、
前記手本データ送信部は、前記選択データ受信部が受信したデータによって示されるユーザによって選択されたネットサーフィンの手本を示すデータを、前記ユーザ端末へ送信する
請求項１に記載のネットサーフィン手本データ提示システム。
【請求項３】
前記ネットサーフィン手本データ提示装置は、
ユーザが所望する検索キーワードに関連して行われたネットサーフィンの複数の手本のリストを生成するリスト生成部
を更に有し、
前記リストデータ送信部は、前記リスト生成部が生成したリストを示すデータを送信する
請求項２に記載のネットサーフィン手本データ提示システム。
【請求項４】
前記ネットサーフィン手本データ提示装置は、
タッチスクリーンを利用した操作によって行われたネットサーフィンの手本と、当該手本のネットサーフィンが行われた際に使用された検索キーワードとを対応付けて格納する手本データ格納部
を更に有し、
前記リスト生成部は、前記手本データ格納部に格納されているネットサーフィンの手本の中から、ユーザが所望する検索キーワードと対応付けて格納されているネットサーフィンの手本のリストを生成する
請求項３に記載のネットサーフィン手本データ提示システム。
【請求項５】
前記ネットサーフィン手本データ提示装置は、
前記手本データ格納部に格納されているネットサーフィンの各手本について、ユーザから選択された頻度に基づいて格付けする手本格付部
を更に有し、
前記リスト生成部は、ネットサーフィンの複数の手本のリストを生成するにあたり、当該リストに含まれる各手本について、前記手本格付部が格付けした情報を含むリストを生成する
請求項４に記載のネットサーフィン手本データ提示システム。
【請求項６】
前記ネットサーフィン手本データ提示装置は、
所望の検索キーワードを基にして行われたネットサーフィンの手本となるデータの提示要求を示すデータを、前記ユーザ端末から受信する提示要求データ受信部
を更に有し、
前記リスト生成部は、前記提示要求データ受信部が受信したデータによって示される提示要求の検索キーワードに関連して行われたネットサーフィンの複数の手本のリストを生成する
請求項３から５のいずれか一項に記載のネットサーフィン手本データ提示システム。
【請求項７】
前記ネットサーフィン手本データ提示装置は、
タッチスクリーンを利用した操作によって行われたネットサーフィンの手本となるデータを、前記ユーザ端末から受信する手本データ受信部
を更に有し、
前記手本データ格納部には、前記手本データ受信部が受信したデータによって示されるネットサーフィンの手本が格納される
請求項５又は６に記載のネットサーフィン手本データ提示システム。
【請求項８】
タッチスクリーンを入力デバイスとして具備する複数の各ユーザ端末と通信回線を介して通信接続されて、ネットサーフィンの手本となるデータを提示するネットサーフィン手本データ提示装置であって、
タッチスクリーンを利用した操作によって行われたネットサーフィンの手本となるデータを、前記ユーザ端末へ送信する手本データ送信部
を備えるネットサーフィン手本データ提示装置。
【請求項９】
タッチスクリーンを入力デバイスとして具備する複数の各ユーザ端末と通信回線を介して通信接続されて、ネットサーフィンの手本となるデータを提示するネットサーフィン手本データ提示装置を制御する制御方法であって、
タッチスクリーンを利用した操作によって行われたネットサーフィンの手本となるデータを、前記ユーザ端末へ送信する手本データ送信段階
を備える制御方法。
【請求項１０】
タッチスクリーンを入力デバイスとして具備する複数の各ユーザ端末と通信回線を介して通信接続されて、ネットサーフィンの手本となるデータを提示するネットサーフィン手本データ提示装置用のプログラムであって、前記ネットサーフィン手本データ提示装置を、
タッチスクリーンを利用した操作によって行われたネットサーフィンの手本となるデータを、前記ユーザ端末へ送信する手本データ送信部
として機能させるプログラム。
【発明の詳細な説明】
【技術分野】
【０００１】
本発明は、ネットサーフィン手本データ提示システム、ネットサーフィン手本データ提示装置、制御方法、及びプログラムに関する。特に、本発明は、ネットサーフィンの手本となるデータを提示するネットサーフィン手本データ提示システム、タッチスクリーンを入力デバイスとして具備する複数の各ユーザ端末と通信回線を介して接続されて、ネットサーフィンの手本となるデータを提示するネットサーフィン手本データ提示装置、当該ネットサーフィン手本データ提示装置を制御する制御方法、並びに当該ネットサーフィン手本データ提示装置用のプログラムに関する。
【背景技術】
【０００２】
インターネットには、様々な情報が公開されている。そして、所望の情報を得ようとするユーザは、ユーザ端末利用して、インターネットに公開されている情報の中から、所望の情報を検索して得る。その際、ユーザは、例えば、サーチエンジンを利用して、所望の情報が公開されていそうなＷｅｂページを検索する。
【０００３】
しかしながら、ユーザは、サーチエンジンを利用するにも、所望の情報が公開されているＷｅｂページが検索結果の中に含まれるように、適切な検索キーワードを考えなければならない。また、ユーザは、検索結果に含まれている複数のＷｅｂページを閲覧して、その中から所望の情報が公開されているＷｅｂページを見つけ出さなければならない。
【０００４】
ところで、近年の携帯電話は、スマートフォンと呼ばれる、コンピュータを内蔵し、音声通話以外に様々なデータ処理機能を持ったものが特に普及している。そして、スマートフォンの多くは、タッチスクリーンを入力デバイスとして具備している。ユーザは、指や専用のペンでタッチスクリーンに触れることで、スマートフォンの操作を行うことになる。したがって、タッチスクリーンを入力デバイスとするスマートフォンのユーザには、インターネット上の所望の情報を得ようとする場合、ネットサーフィンのスキルだけでなく、タッチスクリーンの操作スキルも求められることになる。
【０００５】
ところで、検索情報の提示技術としては、例えばユーザが購入を予定する商品等に関する情報を、インターネットを通じて検索する際に、購入検討に有用な情報を絞り込んで提示する技術が知られている（例えば、特許文献１参照。）。
【先行技術文献】
【特許文献】
【０００６】
【特許文献１】特開２００４−３２６５３７号公報
【発明の概要】
【発明が解決しようとする課題】
【０００７】
特許文献１に記載の技術によっては、ユーザが購入を検討している商品に関連する情報の中から、購入者が注目した情報を適切な表示順位に基づいて自動的かつ即座に提示することで、購入時に必要とされる情報を容易に獲得することが可能となる。しかしながら、特許文献１に記載の技術によっては、タッチスクリーンを利用した操作によって行われたようなネットサーフィンの操作履歴を再現することはできない。
【課題を解決するための手段】
【０００８】
上記課題を解決するために、本発明の第１の形態によると、ネットサーフィンの手本となるデータを提示するネットサーフィン手本データ提示システムであって、タッチスクリーンを入力デバイスとして具備する複数の各ユーザ端末と通信回線を介して通信接続されて、ネットサーフィンの手本となるデータを提示するネットサーフィン手本データ提示装置を備え、ネットサーフィン手本データ提示装置は、タッチスクリーンを利用した操作によって行われたネットサーフィンの手本となるデータを、ユーザ端末へ送信する手本データ送信部を有する。
【０００９】
本発明の第２の形態によると、タッチスクリーンを入力デバイスとして具備する複数の各ユーザ端末と通信回線を介して通信接続されて、ネットサーフィンの手本となるデータを提示するネットサーフィン手本データ提示装置であって、タッチスクリーンを利用した操作によって行われたネットサーフィンの手本となるデータを、ユーザ端末へ送信する手本データ送信部を備える。
【００１０】
本発明の第３の形態によると、タッチスクリーンを入力デバイスとして具備する複数の各ユーザ端末と通信回線を介して通信接続されて、ネットサーフィンの手本となるデータを提示するネットサーフィン手本データ提示装置を制御する制御方法であって、タッチスクリーンを利用した操作によって行われたネットサーフィンの手本となるデータを、ユーザ端末へ送信する手本データ送信段階を備える。
【００１１】
本発明の第４の形態によると、タッチスクリーンを入力デバイスとして具備する複数の各ユーザ端末と通信回線を介して通信接続されて、ネットサーフィンの手本となるデータを提示するネットサーフィン手本データ提示装置用のプログラムであって、ネットサーフィン手本データ提示装置を、タッチスクリーンを利用した操作によって行われたネットサーフィンの手本となるデータを、ユーザ端末へ送信する手本データ送信部として機能させる。
【００１２】
なおまた、上記のように発明の概要は、本発明の必要な特徴の全てを列挙したものではなく、これらの特徴群のサブコンビネーションもまた、発明となり得る。
【発明の効果】
【００１３】
以上の説明から明らかなように、この発明においては、タッチスクリーンを利用した操作によって行われたネットサーフィンの手本となるデータをユーザ端末へ送信するようにした。このようにして、この発明によっては、タッチスクリーンを入力デバイスとして具備する端末の操作に不慣れなユーザに対して、タッチスクリーンを利用した操作によって行われたネットサーフィンの手本を提示することができる。
【図面の簡単な説明】
【００１４】
【図１】一実施形態に係るネットサーフィン手本データ提示システム１００の利用環境の一例を示す図である。
【図２】ネットサーフィン手本データ提示装置１１０のブロック構成の一例を示す図である。
【図３】ユーザ端末１３０のブロック構成の一例を示す図である。
【図４】手本データ格納部１１８に格納されるデータの一例をテーブル形式で示す図である。
【図５】ネットサーフィン手本提示装置１１０、手本データ提供側のユーザ端末１３０ａ、及び手本データ要求側のユーザ端末１３０ｂの動作シーケンスの一例を示す図である。
【図６】ユーザ端末１３０を携帯電話で構成した場合のハードウェア構成の一例を示す図である。
【図７】ネットサーフィン手本データ提示装置１１０をコンピュータ等の電子情報処理装置で構成した場合のハードウェア構成の一例を示す図である。
【発明を実施するための形態】
【００１５】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１６】
図１は、一実施形態に係るネットサーフィン手本データ提示システム１００の利用環境の一例を示す。ネットサーフィン手本データ提示システム１００は、ネットサーフィンの手本となるデータを提示するシステムである。
【００１７】
ネットサーフィン手本データ提示システム１００は、ネットサーフィン手本データ提示装置１１０、及び複数のユーザ端末１３０ａ、ｂ、ｃ、・・・（以下、ユーザ端末１３０と総称する。）を備える。
【００１８】
ネットサーフィン手本データ提示装置１１０は、各ユーザ端末１３０と通信回線１５０を介して通信接続されている。なおまた、通信回線１５０は、インターネット等のコンピュータネットワーク、通信事業者のコアネットワーク、及び種々のローカルネットワークを含む。
【００１９】
ユーザ端末１３０ａは、タッチスクリーン１４９ａを入力デバイスとして具備している。タッチスクリーン１４９ａは、指や専用のペンで画面に触れることで、ユーザ端末１３０ａの操作を行うことができるディスプレイである。より具体的に説明すると、タッチスクリーン１４９ａは、ディスプレイ表面を、接触を検知するための素子を配置した透明なスクリーンで覆ったものである。画面への接触の感知には、感圧式と静電式の２通りがある。感圧式は、圧力の変化を感知する方式である。静電式は、静電気による電気信号を感知する方式である。
【００２０】
なおまた、ユーザ端末１３０ａ以外のユーザ端末１３０ｂ、ｃ、・・・も、ユーザ端末１３０ａが有する構成要素と同じ構成要素を有する。以後の説明では、ユーザ端末１３０が有する構成要素がいずれのユーザ端末１３０の構成要素であるかを区別する場合には、各構成要素を有するユーザ端末１３０と同じ添え字（ａ、ｂ、ｃ、・・・）を各構成要素の末尾に付して区別する。例えば、タッチスクリーン１４９ａ、タッチスクリーン１４９ｂ、及びタッチスクリーン１４９ｃは、それぞれユーザ端末１３０ａ、ユーザ端末１３０ｂ、及びユーザ端末１３０ｃの構成要素であることを示す。
【００２１】
また、以後の説明において、添え字が付されていない構成要素の機能及び動作は、同じ符号が付されたいずれの構成要素の機能及び動作を示す。例えば、タッチスクリーン１４９で説明された機能及び動作は、タッチスクリーン１４９ａ、タッチスクリーン１４９ｂ、タッチスクリーン１４９ｃ、・・・の機能及び動作を示す。
【００２２】
なおまた、本実施形態では、説明が煩雑になることを防ぐことを目的として、ネットサーフィン手本データ提示システム１００が一のネットサーフィン手本データ提示装置１１０を備える構成について説明したが、ネットサーフィン手本データ提示システム１００は複数のネットサーフィン手本データ提示装置１１０を備えてよい。
【００２３】
図２は、ネットサーフィン手本データ提示装置１１０のブロック構成の一例を示す。ネットサーフィン手本データ提示装置１１０は、手本データ受信部１１１、提示要求データ受信部１１２、リスト生成部１１３、リストデータ送信部１１４、選択データ受信部１１５、手本格付部１１６、手本データ送信部１１７、及び手本データ格納部１１８を有する。以下に、各構成要素の機能及び動作を説明する。
【００２４】
手本データ受信部１１１は、タッチスクリーン１４９を利用した操作によって行われたネットサーフィンの手本となるデータを、ユーザ端末１３０から受信する。
【００２５】
提示要求データ受信部１１２は、所望の検索キーワードを基にして行われたネットサーフィンの手本となるデータの提示要求を示すデータを、ユーザ端末１３０から受信する。
【００２６】
リスト生成部１１３は、ユーザが所望する検索キーワードに関連して行われたネットサーフィンの複数の手本のリストを生成する。より具体的に説明すると、リスト生成部１１３は、手本データ格納部１１８に格納されているネットサーフィンの手本の中から、ユーザが所望する検索キーワードと対応付けて格納されているネットサーフィンの手本のリストを生成する。より具体的に説明すると、リスト生成部１１３は、ネットサーフィンの複数の手本のリストを生成するにあたり、そのリストに含まれる各手本について、手本格付部１１６が格付けした情報を含むリストを生成する。より具体的に説明すると、リスト生成部１１３は、提示要求データ受信部１１２が受信したデータによって示される提示要求の検索キーワードに関連して行われたネットサーフィンの複数の手本のリストを生成する。
【００２７】
リストデータ送信部１１４は、ユーザが所望する検索キーワードに関連して行われたネットサーフィンの複数の手本のリストを示すデータを、ユーザ端末１３０へ送信する。より具体的に説明すると、リストデータ送信部１１４は、リスト生成部１１３が生成したリストを示すデータを送信する。
【００２８】
選択データ受信部１１５は、リストデータ送信部１１４が送信したデータによって示されるリストに含まれているネットサーフィンの複数の手本のうち、いずれの手本がユーザによって選択されたのかを示すデータを、ユーザ端末１３０から受信する。
【００２９】
手本格付部１１６は、手本データ格納部１１８に格納されているネットサーフィンの各手本について、ユーザから選択された頻度に基づいて格付けする。
【００３０】
手本データ送信部１１７は、タッチスクリーン１４９を利用した操作によって行われたネットサーフィンの手本となるデータを、ユーザ端末１３０へ送信する。より具体的に説明すると、手本データ送信部１１７は、選択データ受信部１１５が受信したデータによって示されるユーザによって選択されたネットサーフィンの手本を示すデータを、ユーザ端末１３０へ送信する。
【００３１】
手本データ格納部１１８には、タッチスクリーン１４９を利用した操作によって行われたネットサーフィンの手本と、その手本のネットサーフィンが行われた際に使用された検索キーワードとが対応付けて格納される。より具体的に説明すると、手本データ格納部１１８には、手本データ受信部１１１が受信したデータによって示されるネットサーフィンの手本が格納される。
【００３２】
図３は、ユーザ端末１３０のブロック構成の一例を示す。ユーザ端末１３０は、操作履歴監視部１３１、手本データ生成部１３２、手本データ送信部１３３、検索キーワード入力受付部１３４、提示要求データ送信部１３５、リストデータ受信部１３６、リスト出力部１３７、手本選択入力受付部１３８、選択データ送信部１３９、手本データ受信部１４０、手本データ再生部１４１、及び操作履歴データ格納部１４２を有する。
【００３３】
操作履歴監視部１３１は、ユーザによるユーザ端末１３０のタッチスクリーン１４９を利用した操作の履歴を監視する。そして、操作履歴監視部１３１は、監視中に得た操作の履歴に関連する各種データを、操作履歴データ格納部１４２へ格納する。
【００３４】
手本データ生成部１３２は、操作履歴データ格納部１４２に格納されている操作履歴に関連する各種データを基にして、ユーザによる編集指示入力に基づいて、手本データを生成する。
【００３５】
手本データ送信部１３３は、手本データ生成部１３２が生成した手本データを、ネットサーフィン手本データ提示装置１１０へ送信する。
【００３６】
検索キーワード入力受付部１３４は、ネットサーフィンの手本データを得るためにユーザが入力した検索キーワードの入力を、タッチスクリーン１４９から受け付ける。
【００３７】
提示要求データ送信部１３５は、検索キーワード入力受付部１３４が入力を受け付けた検索キーワードを基にして行われたネットサーフィンの手本となるデータの提示要求を示すデータを、ネットサーフィン手本データ提示装置１１０へ送信する。
【００３８】
リストデータ受信部１３６は、ユーザが所望する検索キーワードに関連して行われたネットサーフィンの複数の手本のリストを示すデータを、ネットサーフィン手本データ提示装置１１０から受信する。
【００３９】
リスト出力部１３７は、リストデータ受信部１３６が受信したデータによって示されるネットサーフィンの複数の手本のリストがタッチスクリーン１４９に表示されるように出力する。
【００４０】
手本選択入力受付部１３８は、タッチスクリーン１４９に表示されたネットサーフィンの複数の手本のリストの中から、いずれかの手本の選択入力を受け付ける。
【００４１】
選択データ送信部１３９は、手本選択入力受付部１３８が入力を受け付けた手本を示すデータを、ネットサーフィン手本データ提示装置１１０へ送信する。
【００４２】
手本データ受信部１４０は、ネットサーフィンの手本となるデータを、ネットサーフィン手本データ提示装置１１０から受信する。
【００４３】
手本データ再生部１４１は、手本データ受信部１４０が受信したデータによって示されるネットサーフィンの手本がタッチスクリーン１４９に表示されるように再生する。
【００４４】
操作履歴データ格納部１４２は、操作履歴監視部１３１が監視中に得た操作の履歴に関連する各種データが格納される。
【００４５】
図４は、手本データ格納部１１８に格納されるデータの一例をテーブル形式で示す。手本データ格納部１１８には、ユーザＩＤ、ユーザ名、手本データ、検索キーワード、及び再生回数（回）が対応付けて格納される。
【００４６】
図５は、ネットサーフィン手本提示装置１１０、手本データ提供側のユーザ端末１３０ａ、及び手本データ要求側のユーザ端末１３０ｂの動作シーケンスの一例を示す。
【００４７】
ユーザＡは、ユーザ端末１３０ａのヘビーユーザでＷｅｂ検索、メモ取得、タッチパネル操作を得意としており、週末に武道館に行ってラーメンを食べようとしている。ユーザＡが利用しているユーザ端末１３０ａにより、グルメサイト検索を行いグルメサイトからラーメン屋サイトにたどり着いた。ラーメン屋サイト内には場所を示す地図、ラーメンの写真が記載されている。ユーザＡは閲覧しやすいタッチジェスチャにより地図を拡大表示し、位置情報に関するメモを行った。さらに、写真をおいしそうに見えるタッチジェスチャにより表示し、感想に関するメモを行ったとする。
【００４８】
ユーザ端末１３０ａの操作履歴監視部１３１ａは、ユーザによるユーザ端末１３０のタッチスクリーン１４９を利用した操作の履歴を監視する（Ｓ１０１）。そして、操作履歴監視部１３１は、監視中に得た操作の履歴に関連する各種データを、操作履歴データ格納部１４２ａへ格納する。
【００４９】
ユーザは、操作履歴データ格納部１４２ａに格納されている操作履歴に関連するサイト、地図、写真、メモ、タッチジェスチャの各種情報を、他ユーザに提供できる形で編集する。
【００５０】
ユーザ端末１３０ａの手本データ生成部１３２ａは、操作履歴データ格納部１４２に格納されている操作履歴に関連する各種データを基にして、ユーザによる編集指示入力に基づいて、手本データを生成する（Ｓ１０２）。
【００５１】
そして、ユーザ端末１３０ａの手本データ送信部１３３ａは、手本データ生成部１３２ａが生成した手本データを、ネットサーフィン手本データ提示装置１１０へ送信する（Ｓ１０３）。このようにして、ネットサーフィン手本データ提示装置１１０の手本データ受信部１１１は、タッチスクリーン１４９を利用した操作によって行われたネットサーフィンの手本となるデータを、ユーザ端末１３０ａから受信する。
【００５２】
一方、ユーザＢはタッチパネル対応のユーザ端末１３０ｂを購入したばかりであまり操作に慣れていない。今度、武道館に行った際、ラーメン屋に行こうと考えている。そのため、ユーザＢは、「武道館ａｎｄラーメン」を検索キーワードにして、ネットサーフィンの手本データを得るための操作を行ったとする。
【００５３】
ユーザ端末１３０ｂの検索キーワード入力受付部１３４ｂは、ネットサーフィンの手本データを得るためにユーザが入力した検索キーワードの入力を、タッチスクリーン１４９ｂから受け付ける（Ｓ１０４）。
【００５４】
そして、ユーザ端末１３０ｂの提示要求データ送信部１３５ｂは、検索キーワード入力受付部１３４ｂが入力を受け付けた検索キーワードを基にして行われたネットサーフィンの手本となるデータの提示要求を示すデータを、ネットサーフィン手本データ提示装置１１０へ送信する（Ｓ１０５）。このようにして、ネットサーフィン手本データ提示装置１１０の提示要求データ受信部１１２は、所望の検索キーワードを基にして行われたネットサーフィンの手本となるデータの提示要求を示すデータを、ユーザ端末１３０ｂから受信する。
【００５５】
そして、ネットサーフィン手本データ提示装置１１０のリスト生成部１１３は、ユーザＢが所望する検索キーワードに関連して行われたネットサーフィンの複数の手本のリストを生成する（Ｓ１０６）。
【００５６】
そして、ネットサーフィン手本データ提示装置１１０のリストデータ送信部１１４ｂは、ユーザＢが所望する検索キーワードに関連して行われたネットサーフィンの複数の手本のリストを示すデータを、ユーザ端末１３０ｂへ送信する（Ｓ１０７）。このようにして、ユーザ端末１３０ｂのリストデータ受信部１３６ｂは、ユーザＢが所望する検索キーワードに関連して行われたネットサーフィンの複数の手本のリストを示すデータを、ネットサーフィン手本データ提示装置１１０から受信する。
【００５７】
ユーザ端末１３０ｂのリスト出力部１３７ｂは、リストデータ受信部１３６ｂが受信したデータによって示されるネットサーフィンの複数の手本のリストがタッチスクリーン１４９ｂに表示されるように出力する（Ｓ１０８）。
【００５８】
ユーザＢは、ユーザ端末１３０ｂにより提示されたリストの中から有名ブロガーのユーザＡを選択したとする。
【００５９】
ユーザ端末１３０ｂの手本選択入力受付部１３８ｂは、タッチスクリーン１４９ｂに表示されたネットサーフィンの複数の手本のリストの中から、いずれかの手本の選択入力を受け付ける（Ｓ１０９）。
【００６０】
そして、ユーザ端末１３０ｂの選択データ送信部１３９ｂは、手本選択入力受付部１３８ｂが入力を受け付けた手本を示すデータを、ネットサーフィン手本データ提示装置１１０へ送信する（Ｓ１１０）。このようにして、ネットサーフィン手本データ提示装置１１０の選択データ受信部１１５は、リストデータ送信部１１４が送信したデータによって示されるリストに含まれているネットサーフィンの複数の手本のうち、いずれの手本がユーザＢによって選択されたのかを示すデータを、ユーザ端末１３０ｂから受信する。
【００６１】
その際、ネットサーフィン手本データ提示装置１１０の手本格付部１１６は、手本データ格納部１１８に格納されているネットサーフィンの各手本について、ユーザから選択された頻度に基づいて格付けする（Ｓ１１１）。
【００６２】
そして、ネットサーフィン手本データ提示装置１１０の手本データ送信部１１７は、タッチスクリーン１４９を利用した操作によって行われたネットサーフィンの手本となるデータを、ユーザ端末１３０ｂへ送信する（Ｓ１１２）。このようにして、ユーザ端末１３０ｂの手本データ受信部１４０ｂは、ネットサーフィンの手本となるデータを、ネットサーフィン手本データ提示装置１１０から受信する。
【００６３】
そして、ユーザ端末１３０ｂの手本データ再生部１４１ｂは、手本データ受信部１４０ｂが受信したデータによって示されるネットサーフィンの手本がタッチスクリーン１４９ｂに表示されるように再生する（Ｓ１１３）。すると、タッチスクリーン１４９ｂに、ユーザＡの操作がタッチ操作含め自動再生され有効な情報を入手することが可能となる。
【００６４】
以上説明したように、ネットサーフィン手本データ提示システム１００によっては、携帯操作に慣れたユーザの操作内容を端末上で自動再生することにより確認することが可能となる。その結果、どのＷｅｂページを参照して、どの写真をどのように見て、どのようなメモをとるのが効率良いかの情報を取得可能となる。
【００６５】
図６は、ユーザ端末１３０を携帯電話で構成した場合のハードウェア構成の一例を示す。ユーザ端末１３０は、アンテナ７０１、通信用ＣＰＵ（Ｃｅｎｔｒａｌ  Ｐｒｏｃｅｓｓｉｎｇ  Ｕｎｉｔ）７０２、アプリケーションソフト用ＣＰＵ７０３、メインメモリ７０４、内蔵不揮発性メモリ７０５、外部不揮発性メモリ７０６、外部Ｉ／Ｏ（Ｉｎｐｕｔ／Ｏｕｔｐｕｔ）７０７、デジタルカメラ７０８、タッチスクリーン７０９、及び電源回路７１０を有する。
【００６６】
アプリケーションソフト用ＣＰＵ７０３により実行されるプログラムは、ユーザ端末１３０を、図１から図５に関連して説明した操作履歴監視部１３１、手本データ生成部１３２、手本データ送信部１３３、検索キーワード入力受付部１３４、提示要求データ送信部１３５、リストデータ受信部１３６、リスト出力部１３７、手本選択入力受付部１３８、選択データ送信部１３９、手本データ受信部１４０、手本データ再生部１４１、及び操作履歴データ格納部１４２として機能させる。
【００６７】
図７は、ネットサーフィン手本データ提示装置１１０をコンピュータ等の電子情報処理装置で構成した場合のハードウェア構成の一例を示す。ネットサーフィン手本データ提示装置１１０は、ＣＰＵ（Ｃｅｎｔｒａｌ  Ｐｒｏｃｅｓｓｉｎｇ  Ｕｎｉｔ）周辺部と、入出力部と、レガシー入出力部とを備える。ＣＰＵ周辺部は、ホスト・コントローラ８０１により相互に接続されるＣＰＵ８０２、ＲＡＭ（Ｒａｎｄｏｍ  Ａｃｃｅｓｓ  Ｍｅｍｏｒｙ）８０３、グラフィック・コントローラ８０４、及び表示装置８０５を有する。入出力部は、入出力コントローラ８０６によりホスト・コントローラ８０１に接続される通信インターフェース８０７、ハードディスクドライブ８０８、及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する。レガシー入出力部は、入出力コントローラ８０６に接続されるＲＯＭ（Ｒｅａｄ  Ｏｎｌｙ  Ｍｅｍｏｒｙ）８１０、フレキシブルディスク・ドライブ８１１、及び入出力チップ８１２を有する。
【００６８】
ホスト・コントローラ８０１は、ＲＡＭ８０３と、高い転送レートでＲＡＭ８０３をアクセスするＣＰＵ８０２、及びグラフィック・コントローラ８０４とを接続する。ＣＰＵ８０２は、ＲＯＭ８１０、及びＲＡＭ８０３に格納されたプログラムに基づいて動作して、各部の制御をする。グラフィック・コントローラ８０４は、ＣＰＵ８０２等がＲＡＭ８０３内に設けたフレーム・バッファ上に生成する画像データを取得して、表示装置８０５上に表示させる。これに代えて、グラフィック・コントローラ８０４は、ＣＰＵ８０２等が生成する画像データを格納するフレーム・バッファを、内部に含んでもよい。
【００６９】
入出力コントローラ８０６は、ホスト・コントローラ８０１と、比較的高速な入出力装置であるハードディスクドライブ８０８、通信インターフェース８０７、ＣＤ−ＲＯＭドライブ８０９を接続する。ハードディスクドライブ８０８は、ＣＰＵ８０２が使用するプログラム、及びデータを格納する。通信インターフェース８０７は、ネットワーク通信装置８９１に接続してプログラム又はデータを送受信する。ＣＤ−ＲＯＭドライブ８０９は、ＣＤ−ＲＯＭ８９２からプログラム又はデータを読み取り、ＲＡＭ８０３を介してハードディスクドライブ８０８、及び通信インターフェース８０７に提供する。
入出力コントローラ８０６には、ＲＯＭ８１０と、フレキシブルディスク・ドライブ８１１、及び入出力チップ８１２の比較的低速な入出力装置とが接続される。ＲＯＭ８１０は、ネットサーフィン手本データ提示装置１１０が起動時に実行するブート・プログラム、あるいはネットサーフィン手本データ提示装置１１０のハードウェアに依存するプログラム等を格納する。フレキシブルディスク・ドライブ８１１は、フレキシブルディスク８９３からプログラム又はデータを読み取り、ＲＡＭ８０３を介してハードディスクドライブ８０８、及び通信インターフェース８０７に提供する。入出力チップ８１２は、フレキシブルディスク・ドライブ８１１、あるいはパラレル・ポート、シリアル・ポート、キーボード・ポート、マウス・ポート等を介して各種の入出力装置を接続する。
【００７０】
ＣＰＵ８０２が実行するプログラムは、フレキシブルディスク８９３、ＣＤ−ＲＯＭ８９２、又はＩＣ（Ｉｎｔｅｇｒａｔｅｄ  Ｃｉｒｃｕｉｔ）カード等の記録媒体に格納されて利用者によって提供される。記録媒体に格納されたプログラムは圧縮されていても非圧縮であってもよい。プログラムは、記録媒体からハードディスクドライブ８０８にインストールされ、ＲＡＭ８０３に読み出されてＣＰＵ８０２により実行される。ＣＰＵ８０２により実行されるプログラムは、ネットサーフィン手本データ提示装置１１０を、図１から図６に関連して説明した手本データ受信部１１１、提示要求データ受信部１１２、リスト生成部１１３、リストデータ送信部１１４、選択データ受信部１１５、手本格付部１１６、手本データ送信部１１７、及び手本データ格納部１１８として機能させる。
【００７１】
以上に示したプログラムは、外部の記憶媒体に格納されてもよい。記憶媒体としては、フレキシブルディスク８９３、ＣＤ−ＲＯＭ８９２の他に、ＤＶＤ（Ｄｉｇｉｔａｌ  Ｖｅｒｓａｔｉｌｅ  Ｄｉｓｋ）又はＰＤ（Ｐｈａｓｅ  Ｄｉｓｋ）等の光学記録媒体、ＭＤ（ＭｉｎｉＤｉｓｋ）等の光磁気記録媒体、テープ媒体、ＩＣカード等の半導体メモリ等を用いることができる。また、専用通信ネットワークあるいはインターネットに接続されたサーバシステムに設けたハードディスク又はＲＡＭ等の記憶媒体を記録媒体として使用して、ネットワークを介したプログラムとして提供してもよい。
【００７２】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００７３】
１００  ネットサーフィン手本データ提示システム
１１０  ネットサーフィン手本データ提示装置
１１１  手本データ受信部
１１２  提示要求データ受信部
１１３  リスト生成部
１１４  リストデータ送信部
１１５  選択データ受信部
１１６  手本格付部
１１７  手本データ送信部
１１８  手本データ格納部
１３０  ユーザ端末
１３１  操作履歴監視部
１３２  手本データ生成部
１３３  手本データ送信部
１３４  検索キーワード入力受付部
１３５  提示要求データ送信部
１３６  リストデータ受信部
１３７  リスト出力部
１３８  手本選択入力受付部
１３９  選択データ送信部
１４０  手本データ受信部
１４１  手本データ再生部
１４２  操作履歴データ格納部
１４９  タッチスクリーン
１５０  通信回線
【図１】
2012146233.tif 000003
【図２】
2012146233.tif 000004
【図３】
2012146233.tif 000005
【図４】
2012146233.tif 000006
【図５】
2012146233.tif 000007
【図６】
2012146233.tif 000008
【図７】
2012146233.tif 000009